(57)【特許請求の範囲】
【請求項１】
表示ボードの上方壁面に左右方向に間隔をあけて取り付けられる第１，第２取付部材と、
基端部が夫々前記第１，第２取付部材に固定され、先端部が夫々前方に延びる第１，第２アームと、
左右方向に延びる両端部が、夫々前記第１，第２アームに固定される連結部材と、
前記連結部材の中間部下面に設けられ、プロジェクタを保持する保持部材と、を備え、
前記保持部材に保持されたプロジェクタが、前記第１アームと前記第２アームとの間の空間に配置されるように、前記連結部材の両端部が、夫々前記第１，第２アームの上面に固定され、
前記連結部材は、
前記保持部材が下面に設けられる第１連結部材と、
一端部が夫々前記第１連結部材に固定され、他端部が夫々前記第１，第２アームの上面に固定される第２連結部材と、をさらに有し、
前記第１，第２アームを上下方向にスライドすることなく、前記第１連結部材を前記第２連結部材に対して上下方向にスライドすることによって、前記保持部材に保持されたプロジェクタを上下方向に昇降する昇降装置をさらに備えてなるプロジェクタ支持装置。
【請求項２】
前記第１連結部材は、
前記保持部材が中間部下面に設けられ、左右方向に延びる第１水平部材と、
前記第１水平部材の両端部から夫々下方向に一体的に延びる第１垂直部材と、をさらに有し、
前記第２連結部材は、
前記第１垂直部材に夫々固定され、夫々上下方向に延びる第２垂直部材と、
前記第２垂直部材の下端部から夫々左右方向に一体的に延び、前記第１，第２アームに夫々固定される第２水平部材と、をさらに有し、
前記昇降装置は、
前記第１垂直部材及び前記第２垂直部材の何れか一方に形成され、上下方向に延びる長孔と、
前記長孔に連通するように形成され、前記第１垂直部材及び前記第２垂直部材の何れか他方に形成される貫通孔と、
前記第１垂直部材を前記第２垂直部材に対して上下方向の所定位置にスライドした状態で、前記長孔及び前記貫通孔を挿通し、前記第１垂直部材を前記第２垂直部材に固定する締結部材と、さらに有してなる請求項１に記載のプロジェクタ支持装置。
【発明の詳細な説明】
【技術分野】
【０００１】
本発明は、プロジェクタを支持するプロジェクタ支持装置に関する。
【背景技術】
【０００２】
従来のプロジェクタ支持装置は、例えば、黒板、電子黒板、ホワイトボード等の表示ボードの上方壁面から前方に延びるアーム先端部の下面に、短焦点プロジェクタ等のプロジェクタを保持して支持する装置が知られている（例えば、特許文献１，２参照）。
【先行技術文献】
【特許文献】
【０００３】
【特許文献１】特開２０１３−４４８５３号公報
【特許文献２】特開２０１６−１１２８１７号公報
【発明の概要】
【発明が解決しようとする課題】
【０００４】
上記従来のプロジェクタ支持装置は、アーム先端部の下面にプロジェクタを保持しているから、例えば、プロジェクタの投射面を表示ボードの上部に設定する場合には、プロジェクタを高位置に配置するために、アームを高位置に取り付ける必要がある。しかしながら、特に、天井の高さが低い場合には、アームを表示ボードの上方壁面に取り付けることができず、プロジェクタを高位置に配置することができないという問題があった。
【０００５】
そこで、本発明は、上述の問題に鑑み、プロジェクタを高位置に配置することができるプロジェクタ支持装置を提供することを目的としている。
【課題を解決するための手段】
【０００６】
上記本発明の目的は、以下の手段によって達成される。なお、括弧内は、後述する実施形態の参照符号を付したものであるが、本発明はこれに限定されるものではない。
【０００７】
請求項１の発明に係るプロジェクタ支持装置（１）は、表示ボード（ホワイトボード１０）の上方壁面（１１）に左右方向に間隔をあけて取り付けられる第１，第２取付部材（２ａ，２ｂ）と、
基端部が夫々前記第１，第２取付部材（２ａ，２ｂ）に固定され、先端部が夫々前方に延びる第１，第２アーム（３ａ，３ｂ）と、
左右方向に延びる両端部（４ａ，４ｂ）が、夫々前記第１，第２アーム（３ａ，３ｂ）に固定される連結部材（４）と、
前記連結部材（４）の中間部（４ｃ）下面に設けられ、プロジェクタ（２０）を保持する保持部材（５）と、を備え、
前記保持部材（５）に保持されたプロジェクタ（２０）が、前記第１アーム（３ａ）と前記第２アーム（３ｂ）との間の空間（３ｃ）に配置されるように、前記連結部材（４）の両端部（４ａ，４ｂ）が、夫々前記第１，第２アーム（３ａ，３ｂ）の上面に固定され、
前記連結部材（４）は、
前記保持部材（５）が下面に設けられる第１連結部材（４ｄ）と、
一端部が夫々前記第１連結部材（４ｄ）に固定され、他端部が夫々前記第１，第２アーム（３ａ，３ｂ）の上面に固定される第２連結部材（４ｅ）と、をさらに有し、
前記第１，第２アーム（３ａ，３ｂ）を上下方向にスライドすることなく、前記第１連結部材（４ｄ）を前記第２連結部材（４ｅ）に対して上下方向にスライドすることによって、前記保持部材（５）に保持されたプロジェクタ（２０）を上下方向に昇降する昇降装置（８）をさらに備えてなることを特徴としている。
【０００９】
請求項２の発明に係るプロジェクタ支持装置（１）は、上記請求項１に記載のプロジェクタ支持装置（１）において、前記第１連結部材（４ｄ）は、
前記保持部材（５）が中間部下面に設けられ、左右方向に延びる第１水平部材（４ｄ１）と、
前記第１水平部材（４ｄ１）の両端部から夫々下方向に一体的に延びる第１垂直部材（４ｄ２）と、をさらに有し、
前記第２連結部材（４ｅ）は、
前記第１垂直部材（４ｄ２）に夫々固定され、夫々上下方向に延びる第２垂直部材（４ｅ１）と、
前記第２垂直部材（４ｅ１）の下端部から夫々左右方向に一体的に延び、前記第１，第２アーム（３ａ，３ｂ）に夫々固定される第２水平部材（４ｅ２）と、をさらに有し、
前記昇降装置（８）は、前記第１垂直部材（４ｄ２）及び前記第２垂直部材（４ｅ１）の何れか一方に形成され、上下方向に延びる長孔（８ａ）と、
前記長孔（８ａ）に連通するように形成され、前記第１垂直部材（４ｄ２）及び前記第２垂直部材（４ｅ１）の何れか他方に形成される貫通孔（８ｂ）と、
前記第１垂直部材（４ｄ２）を前記第２垂直部材（４ｅ１）に対して上下方向の所定位置にスライドした状態で、前記長孔（８ａ）及び前記貫通孔（８ｂ）を挿通し、前記第１垂直部材（４ｄ２）を前記第２垂直部材（４ｅ１）に固定する締結部材（８ｃ）と、さらに有してなることを特徴としている。
【発明の効果】
【００１０】
次に、本発明の効果について、図面の参照符号を付して説明する。なお、括弧内は、後述する実施形態の参照符号を付したものであるが、本発明はこれに限定されるものではない。
【００１１】
請求項１の発明によれば、保持部材（５）に保持されたプロジェクタ（２０）が、第１アーム（３ａ）と第２アーム（３ｂ）との間の空間（３ｃ）に配置されるように、連結部材（４）の両端部（４ａ，４ｂ）が、夫々第１，第２アーム（３ａ，３ｂ）の上面に固定されている。これにより、特に、天井（１２）の高さが低い場合であっても、第１，第２アーム（３ａ，３ｂ）を表示ボード（ホワイトボード１０）の上方壁面（１１）に取り付けながら、プロジェクタ（２０）を高位置に配置することができる。
【００１２】
さらに、請求項１の発明によれば、第１，第２アーム（３ａ，３ｂ）を上下方向にスライドすることなく、第１連結部材（４ｄ）を第２連結部材（４ｅ）に対して上下方向にスライドすることによって、保持部材（５）に保持されたプロジェクタ（２０）を上下方向に昇降する。これにより、第１，第２アーム（３ａ，３ｂ）が、例えば、天井（１２）の隅部が低くなっている下がり天井、梁、桟等に接触することなく、プロジェクタ（２０）をさらに高位置に配置することができる。
【００１３】
請求項２の発明によれば、第１垂直部材（４ｄ２）を第２垂直部材（４ｅ１）に対して上下方向の所定位置にスライドした状態で、締結部材（８ｃ）が、長孔（８ａ）及び貫通孔（８ｂ）を挿通し、第１垂直部材（４ｄ２）を第２垂直部材（４ｅ１）に固定する。これにより、プロジェクタ（２０）の上下方向の位置を自由に変更することができる。
【図面の簡単な説明】
【００１４】
【図１】本発明の一実施形態に係るプロジェクタ支持装置を取り付けたホワイトボードを例示し、（ａ）は、平面図であり、（ｂ）は、正面図であり、（ｃ）は、側面図である。
【図２】同プロジェクタ支持装置の取付部分を拡大して例示する平面図である。
【図３】同プロジェクタ支持装置の取付部分を拡大して例示する正面図である。
【図４】同プロジェクタ支持装置の取付部分を拡大して例示する側面図である。
【図５】同プロジェクタ支持装置の取付部分を拡大して例示し、（ａ）は、同プロジェクタ支持装置の連結部材を第１，第２アームに取り付ける状態を示す斜視図であり、（ｂ）は、同プロジェクタ支持装置の連結部材が第１，第２アームに取り付けられた状態を示す斜視図である。
【図６】本発明の変形例に係るプロジェクタ支持装置の取付部分を拡大して例示する側面図である。
【図７】同プロジェクタ支持装置の取付部分を拡大して例示する正面図である。
【図８】本発明の別の変形例に係るプロジェクタ支持装置の取付部分を拡大して例示する側面図である。
【発明を実施するための形態】
【００１５】
以下に、本発明に係るプロジェクタ支持装置の一実施形態について、図面を参照して具体的に説明する。なお、以下の説明において、上下左右の方向を示す場合は、図示正面から見た場合の上下左右をいうものとする。
【００１６】
＜プロジェクタ支持装置の説明＞
プロジェクタ支持装置１は、図１〜図５に示すように、第１，第２取付部材２ａ，２ｂと、第１，第２アーム３ａ，３ｂと、連結部材４と、保持部材５と、移動装置６と、を備えている。第１，第２取付部材２ａ，２ｂは、ホワイトボード１０（表示ボードの一例）の上方壁面１１に走行装置７を介して左右方向に間隔をあけて取り付けられる部材である。第１，第２アーム３ａ，３ｂは、基端部が夫々第１，第２取付部材２ａ，２ｂに固定され、先端部が夫々前方に延びる部材である。連結部材４は、左右方向に延びる両端部４ａ，４ｂが、夫々第１，第２アーム３ａ，３ｂに固定される部材である。保持部材５は、連結部材４の中間部４ｃ下面に設けられ、プロジェクタ２０を保持する部材である。連結部材４の両端部４ａ，４ｂは、保持部材５に保持されたプロジェクタ２０が、第１アーム３ａと第２アーム３ｂとの間の空間３ｃに配置されるように、夫々第１，第２アーム３ａ，３ｂの上面に固定されている。移動装置６は、プロジェクタ２０を前後方向に移動する装置である。走行装置７は、プロジェクタ２０を左右方向に走行する装置であって、ガイドレール７ａと、第１，第２可動台座７ｂ，７ｃと、を有している。ガイドレール７ａは、ホワイトボード１０の上方壁面１１に、ホワイトボード１０の上端部に沿うように左右方向に延びる部材である。第１，第２可動台座７ｂ，７ｃは、ガイドレール７ａの前面に左右方向に間隔をあけて装着され、上面に夫々第１，第２取付部材２ａ，２ｂが固定されている。図１に示すように、第１，第２可動台座７ｂ，７ｃが左右方向に走行すると、第１，第２取付部材２ａ，２ｂ、第１，第２アーム３ａ，３ｂ、連結部材４、保持部材５が左右方向に走行することによって、プロジェクタ２０が左右方向に走行するようになっている。なお、本実施形態では、プロジェクタ支持装置１（第１，第２取付部材２ａ，２ｂ、第１，第２アーム３ａ，３ｂ、連結部材４、保持部材５、移動装置６）の各構成について、以下に詳しく説明する。
【００１７】
＜第１，第２取付部材の説明＞
第１，第２取付部材２ａ，２ｂは、図１〜図５に示すように、第１，第２可動台座７ｂ，７ｃの上面に夫々固定され、左右方向に間隔をあけて取り付けられる支柱部材である。第１，第２取付部材２ａ，２ｂは、図５に示すように、平面視断面が楕円形状となるように、第１，第２可動台座７ｂ，７ｃの上面から上方に延びる筒状部材である。第１取付部材２ａは、左側に配置され、第２取付部材２ｂは、右側に配置されている。第２取付部材２ｂの形状は、第１取付部材２ａの形状と同一である。第１，第２取付部材２ａ，２ｂは、図１に示すように、左右方向に間隔をあけた状態で、第１，第２可動台座７ｂ，７ｃとともに、左右方向に走行するようになっている。第１，第２取付部材２ａ，２ｂは、ホワイトボード１０の上方壁面１１に走行装置７（ガイドレール７ａ、第１，第２可動台座７ｂ，７ｃ）を介して左右方向に間隔をあけて取り付けられている。
【００１８】
＜第１，第２アームの説明＞
第１，第２アーム３ａ，３ｂは、図１〜図５に示すように、基端部（後端部）が夫々第１，第２取付部材２ａ，２ｂの前面に固定され、先端部（前端部）が夫々前方にまっすぐ延びる筒状部材である。第１アーム３ａは、左側に配置され、第２アーム３ｂは、右側に配置されている。第２アーム３ｂの形状は、第１アーム３ａの形状と同一である。第１，第２アーム３ａ，３ｂは、左右方向に間隔をあけて取り付けられている。第１アーム３ａと第２アーム３ｂとの間の空間３ｃには、プロジェクタ２０が配置されている。第１アーム３ａと第２アーム３ｂとの間の間隔は、プロジェクタ２０の幅よりも大きくなっている。第１，第２取付部材２ａ，２ｂとプロジェクタ２０との間には、夫々隙間が形成されている。第１，第２アーム３ａ，３ｂの内周部には、プロジェクタ２０に接続される配線部材（図示せず）を挿通可能な空洞部（図示せず）が形成されている。本実施形態では、第２アーム３ｂの空洞部（図示せず）に配線部材（図示せず）が挿通されている。第２アーム３ｂの上端部（上面）又は下端部（下面）には、配線部材（図示せず）を挿入又は取り出し可能な開口部（図示せず）が形成されている。第１アーム３ａと第２アーム３ｂの上端部（上面）には、連結部材４の両端部４ａ，４ｂが夫々固定される平坦面が形成されている。
【００１９】
本実施形態によれば、２本の第１，第２アーム３ａ，３ｂによってプロジェクタ２０が支持されているから、第１，第２アーム３ａ，３ｂのうち１本に作用する荷重が、従来の１本のアームに作用する荷重よりも小さい。このため、第１，第２アーム３ａ，３ｂ夫々の断面積を小さくして、第１，第２アーム３ａ，３ｂを軽量化することができるから、第１，第２アーム３ａ，３ｂの設置作業を容易に行うことができる。
【００２０】
＜連結部材の説明＞
連結部材４は、図１〜図５に示すように、左右方向にまっすぐ延びる１枚の板状部材である。連結部材４は、前後方向にまっすぐ延びる第１，第２アーム３ａ，３ｂと直交するように、左右方向にまっすぐ延びている。連結部材４の前端部及び後端部には、図５に示すように、夫々上方に立ち上がる補強用の壁部（図示せず）が形成されている。連結部材４の両端部４ａ，４ｂ（左端部４ａ，右端部４ｂ）下面は、図５に示すように、保持部材５に保持されたプロジェクタ２０が、第１アーム３ａと第２アーム３ｂとの間の空間３ｃに配置されるように、夫々第１，第２アーム３ａ，３ｂ上面の平坦面にねじ止め固定されている。連結部材４の中間部４ｃ下面には、図５に示すように、保持部材５の上面がねじ止め固定されている。
【００２１】
＜保持部材の説明＞
保持部材５は、図１〜図５に示すように、第１保持部材５ａと、第２保持部材５ｂと、をさらに有している。第１保持部材５ａは、上面が連結部材４の中間部４ｃ下面にねじ止め固定される部材である。第２保持部材５ｂは、下面がプロジェクタ２０の上面中央部の複数箇所にねじ止め固定され、プロジェクタ２０を吊り下げて保持する部材である。保持部材５は、プロジェクタ２０が保持された第２保持部材５ｂを、連結部材４に固定された第１保持部材５ａに、ワンタッチで着脱する着脱装置（図示せず）をさらに有している。着脱装置（図示せず）は、第２保持部材５ｂの後端部を第１保持部材５ａの後端部に係止した状態で、第２保持部材５ｂの前端部を第１保持部材５ａの前端部に弾性圧入係合することによって、第２保持部材５ｂを第１保持部材５ａに装着する。着脱装置（図示せず）は、ラッチ式の押圧操作部（図示せず）を１回押圧操作（ワンプッシュ）すると、第２保持部材５ｂの前端部が第１保持部材５ａの前端部から弾性圧入係合解除されることによって、第２保持部材５ｂが第１保持部材５ａから離脱する。これにより、プロジェクタ２０を交換する場合には、第１保持部材５ａが連結部材４に固定された状態で、プロジェクタ２０が保持された第２保持部材５ｂを離脱し、第２保持部材５ｂのみを交換すればよいから、プロジェクタ２０の交換作業を容易に行うことができる。保持部材５は、プロジェクタ２０を前後左右方向に僅かに移動（水平ロール）し、プロジェクタ２０を上下方向に僅かに傾斜（上下チルト）するボールジョイント式の調整装置（図示せず）をさらに有している。調整装置（図示せず）は、プロジェクタ２０の位置を微調整することによって、プロジェクタ２０の投射面２１が適切な位置となるように調整することができる。
【００２２】
＜移動装置の説明＞
移動装置６は、図５（ｂ）に示すように、第１，第２アーム３ａ，３ｂを前後方向にスライドすることなく、連結部材４を前後方向に手動でスライドすることによって、保持部材５に保持されたプロジェクタ２０を前後方向に移動する装置である。移動装置６は、第１，第２アーム３ａ，３ｂの内部に夫々設けられ、夫々前後方向に延びる第１，第２溝部（図示せず）と、上端部が、第１，第２アーム３ａ，３ｂの上方に夫々開口する第１，第２開口部（図示せず）を介して、連結部材４の両端部４ａ，４ｂに夫々固定され、下端部が、第１，第２溝部に夫々前後方向にスライド自在に装着される第１，第２スライダ（図示せず）と、をさらに有している。移動装置６は、第１，第２スライダを夫々第１，第２溝部に前後方向にスライドすることによって、連結部材４を前後方向にスライドし、保持部材５に保持されたプロジェクタ２０を前後方向に移動する。
【００２３】
本実施形態によれば、第１，第２アーム３ａ，３ｂを前後方向にスライドすることなく、連結部材４を前後方向にスライドすることによって、保持部材５に保持されたプロジェクタ２０を前後方向に移動する。これにより、第１，第２アーム３ａ，３ｂが、例えば、前方の天井１２に設置された照明等に接触することなく、プロジェクタ２０の前後方向の位置を自由に変更することができる。さらに、本実施形態によれば、第１，第２溝部が、第１，第２アーム３ａ，３ｂの内部に夫々設けられ、第１，第２スライダの下端部が、第１，第２溝部に前後方向にスライド自在に装着されている。これにより、移動装置６をコンパクトに配置しながら、連結部材４を前後方向にスライドすることができる。
【００２４】
なお、本実施形態においては、移動装置６は、連結部材４を前後方向に手動でスライドしていたが、これに限らず、例えば、エアシリンダ、油圧シリンダ、電動シリンダ（電動アクチュエータ）等の直線作動機によって、連結部材４を前後方向に自動でスライドしてもよい。この場合には、例えば、直線作動機を遠隔操作することによって、連結部材４を前後方向に容易にスライドすることができる。
【００２５】
＜プロジェクタ支持装置の使用方法＞
かくして、上記のように構成されたプロジェクタ支持装置１は、以下のようにプロジェクタ２０を支持する。
【００２６】
まず、図１に示すように、ホワイトボード１０の上方壁面１１に走行装置７（ガイドレール７ａ、第１，第２可動台座７ｂ，７ｃ）を取り付ける。次いで、図５（ａ）に示すように、第１，第２可動台座７ｂ，７ｃの上面に、夫々第１，第２取付部材２ａ，２ｂを固定する。次いで、図５（ａ）に示すように、第１，第２取付部材２ａ，２ｂの前面に、夫々第１，第２アーム３ａ，３ｂの基端部（後端部）を固定する。次いで、図５（ａ）に示すように、保持部材５の下面を、プロジェクタ２０の上面中央部の複数箇所にねじ止め固定する。次いで、図５（ｂ）に示すように、移動装置６によって、連結部材４を前後方向にスライドする。次いで、図５（ｂ）に示すように、第１，第２アーム３ａ，３ｂの上面に、連結部材４の両端部４ａ，４ｂをねじ止め固定する。そして、図５（ｂ）に示すように、連結部材４の中間部４ｃ下面に、プロジェクタ２０が保持された保持部材５をねじ止め固定する。このとき、保持部材５に保持されたプロジェクタ２０は、第１アーム３ａと第２アーム３ｂとの間の空間３ｃに配置される。
【００２７】
かくして、このようにして、プロジェクタ支持装置１は、プロジェクタ２０を支持することができる。
【００２８】
しかして、以上説明した本実施形態によれば、保持部材５に保持されたプロジェクタ２０が、第１アーム３ａと第２アーム３ｂとの間の空間３ｃに配置されるように、連結部材４の両端部４ａ，４ｂが、夫々第１，第２アーム３ａ，３ｂの上面に固定されている。これにより、特に、天井１２の高さが低い場合（ホワイトボード１０の上方壁面１１の高さ（ホワイトボード１０の上端部と天井１２との間の高さ）が低い場合）であっても、第１，第２アーム３ａ，３ｂをホワイトボード１０の上方壁面１１に取り付けながら、プロジェクタ２０を高位置に配置することができる。
【００２９】
なお、本実施形態において示した形状等はあくまで一例であり、特許請求の範囲に記載された本発明の要旨の範囲内において、種々の変形・変更が可能である。本実施形態においては、表示ボードは、ホワイトボード１０であったが、これに限らず、例えば、黒板、電子黒板、これらにスクリーンを設ける構成であってもよい。さらに、本実施形態においては、走行装置７は、新設のガイドレール７ａと、新設の第１，第２可動台座７ｂ，７ｃと、を有していたが、これに限らず、例えば、既設のガイドレール７ａと、新設の第１，第２可動台座７ｂ，７ｃと、を有する構成であってもよい。この場合には、既設のガイドレール７ａを再利用することによって、ガイドレール７ａの設置費用を低減することができる。さらに、本実施形態においては、走行装置７が設置されていたが、これに限らず、例えば、走行装置７を設置しない構成であってもよい。この場合には、第１，第２取付部材２ａ，２ｂを、ホワイトボード１０の上方壁面１１に、直接取り付けることができる。
【００３０】
さらに、本実施形態においては、連結部材４は、左右方向にまっすぐ延びる１枚の板状部材によって構成されていたが、これに限らず、図６及び図７に示すように、正面視断面が全体として凸形状となるように、２枚の板状部材によって構成してもよい。さらに、本実施形態の変形例に係るプロジェクタ支持装置１は、図６及び図７に示すように、プロジェクタ２０を上下方向に昇降する昇降装置８をさらに備える構成であってもよい。
【００３１】
＜連結部材の説明＞
連結部材４は、図６及び図７に示すように、第１連結部材４ｄと、第２連結部材４ｅと、をさらに有している。第１連結部材４ｄは、保持部材５が下面に設けられる部材である。第２連結部材４ｅは、一端部が夫々第１連結部材４ｄに固定され、他端部が夫々第１，第２アーム３ａ，３ｂの前端部上面に固定される部材である。第１連結部材４ｄは、第１水平部材４ｄ１と、第１垂直部材４ｄ２と、をさらに有している。第１水平部材４ｄ１は、保持部材５が中間部下面に設けられ、左右方向に延びる部材である。第１垂直部材４ｄ２は、第１水平部材４ｄ１の両端部から夫々下方向に一体的に延びる部材である。第２連結部材４ｅは、第２垂直部材４ｅ１と、第２水平部材４ｅ２と、をさらに有している。第２垂直部材４ｅ１は、第１垂直部材４ｄ２に夫々固定され、夫々上下方向に延びる部材である。第２水平部材４ｅ２は、第２垂直部材４ｅ１の下端部から夫々左右方向に一体的に延び、第１，第２アーム３ａ，３ｂに夫々固定される部材である。第１連結部材４ｄは、上側に配置され、正面視断面が全体として下側が開口したコ字形状となるように屈曲する１枚の板状部材である。第１水平部材４ｄ１は、左右方向にまっすぐ延びる１枚の板状部材である。第１垂直部材４ｄ２は、上下方向にまっすぐ延びる１枚の板状部材である。第１垂直部材４ｄ２は、第１水平部材４ｄ１と一体形成されている。第２連結部材４ｅは、夫々下側に配置され、夫々正面視断面が全体として左右反転したＬ字形状又Ｌ字形状となるように屈曲する１枚の板状部材である。第２垂直部材４ｅ１は、上下方向にまっすぐ延びる１枚の板状部材である。第２水平部材４ｅ２は、左右方向にまっすぐ延びる１枚の板状部材である。第２水平部材４ｅ２は、第２垂直部材４ｅ１と一体形成されている。第２垂直部材４ｅ１は、夫々第１垂直部材４ｄ２の左側（外側）又は右側（外側）に固定されている。第２水平部材４ｅ２は、夫々第１，第２アーム３ａ，３ｂの上面に固定されている。連結部材４は、正面視断面が全体として凸形状となるように、２枚の板状部材（第１連結部材４ｄ，第２連結部材４ｅ）によって構成されている。
【００３２】
＜昇降装置の説明＞
昇降装置８は、図６及び図７に示すように、第１，第２アーム３ａ，３ｂを上下方向にスライドすることなく、第１連結部材４ｄを第２連結部材４ｅに対して上下方向にスライドすることによって、保持部材５に保持されたプロジェクタ２０を上下方向に昇降する装置である。昇降装置８は、長孔８ａと、貫通孔８ｂと、締結部材８ｃと、さらに有している。長孔８ａは、第１垂直部材４ｄ２に形成され、上下方向に延びる長円形の孔である。貫通孔８ｂは、長孔８ａに連通するように形成され、第２垂直部材４ｅ１に形成される円形の孔である。締結部材８ｃは、第１垂直部材４ｄ２を第２垂直部材４ｅ１に対して上下方向の所定位置にスライドした状態で、長孔８ａ及び貫通孔８ｂを挿通し、第１垂直部材４ｄ２を第２垂直部材４ｅ１に固定するボルト・ナットである。長孔８ａは、図６に示すように、第１垂直部材４ｄ２の前後方向に間隔をあけて複数箇所（図６では、２箇所）設けられている。貫通孔８ｂは、図６に示すように、第２垂直部材４ｅ１の上下方向及び前後方向に間隔をあけて複数箇所（図６では、４箇所）設けられている。締結部材８ｃは、図７に示すように、ボルトの頭部が右側（内側）又は左側（内側）から挿入され、長孔８ａ及び貫通孔８ｂを挿通したボルトの胴部に左側（外側）又は右側（外側）から装着されたナットが締結固定される、ボルト・ナットである。昇降装置８は、締結部材８ｃのボルトを長孔８ａ及び貫通孔８ｂを挿通し、締結部材８ｃのナットを緩めた状態で、第１垂直部材４ｄ２を第２垂直部材４ｅ１に対して上下方向の所定位置にスライドする。この状態で、締結部材８ｃのナットを締結することによって、第１垂直部材４ｄ２を第２垂直部材４ｅ１に固定する。これにより、第１連結部材４ｄが第２連結部材４ｅに対して上下方向にスライドし、保持部材５に保持されたプロジェクタ２０が上下方向に昇降する。昇降装置８は、長孔８ａの下端部に下側の締結部材８ｃ（ボルトの胴部）が接触し、第１垂直部材４ｄ２が第２垂直部材４ｅ１に対して最も上側に位置する最上位置（図６及び図７参照）と、長孔８ａの上端部に上側の締結部材８ｃ（ボルトの胴部）が接触し、第１垂直部材４ｄ２が第２垂直部材４ｅ１に対して最も下側に位置する最下位置（図示せず）と、の間の所定位置にスライドすることができる。
【００３３】
しかして、以上説明した本実施形態の変形例によれば、第１，第２アーム３ａ，３ｂを上下方向にスライドすることなく、第１連結部材４ｄを第２連結部材４ｅに対して上下方向にスライドすることによって、保持部材５に保持されたプロジェクタ２０を上下方向に昇降する。これにより、第１，第２アーム３ａ，３ｂが、例えば、天井１２の隅部が低くなっている下がり天井、梁、桟等に接触することなく、プロジェクタ２０をさらに高位置に配置することができる。さらに、本実施形態の変形例によれば、第１垂直部材４ｄ２を第２垂直部材４ｅ１に対して上下方向の所定位置にスライドした状態で、締結部材８ｃが、長孔８ａ及び貫通孔８ｂを挿通し、第１垂直部材４ｄ２を第２垂直部材４ｅ１に固定する。これにより、プロジェクタ２０の上下方向の位置を自由に変更することができる。またさらに、プロジェクタ２０をより下方向に降下させたい場合は、本実施形態の変形例にて例示した第１連結部材４ｄ、第２連結部材４ｅの構成を反転させて、正面視断面が全体として凹形状になるようにすることもできる。しかして、このように、第１連結部材４ｄ、第２連結部材４ｅの構成を変更し、正面視断面が全体として凸形状又は凹形状になるようにするだけで、保持部材５に保持されたプロジェクタ２０を上下方向に昇降する際の可動域を広げることが可能となる。
【００３４】
なお、本実施形態の変形例においては、長孔８ａが第１垂直部材４ｄ２に形成され、貫通孔８ｂが第２垂直部材４ｅ１に形成されていたが、これに限らず、例えば、長孔８ａを第２垂直部材４ｅ１に形成し、貫通孔８ｂを第１垂直部材４ｄ２に形成してもよい。
【００３５】
さらに、本実施形態においては、第１，第２アーム３ａ，３ｂは、第１，第２取付部材２ａ，２ｂの前面に固定され、第１，第２取付部材２ａ，２ｂは、第２可動台座７ｂ，７ｃの上面に取り付けられていたが、これに限らず、図８に示すように、第１，第２アーム３ａ，３ｂは、第１，第２取付部材２ａ，２ｂである第２可動台座７ｂ，７ｃの上面に取り付けられていてもよい。この場合には、部品点数を削減することによって、安価なプロジェクタ支持装置１を提供することができる。
【符号の説明】
【００３６】
１              プロジェクタ支持装置
２ａ，２ｂ      第１，第２取付部材
３ａ，３ｂ      第１，第２アーム
３ｃ            第１アームと第２アームとの間の空間
４              連結部材
４ａ，４ｂ      両端部
４ｃ            中間部
４ｄ            第１連結部材
４ｄ１          第１水平部材
４ｄ２          第１垂直部材
４ｅ            第２連結部材
４ｅ１          第２垂直部材
４ｅ２          第２水平部材
５              保持部材
５ａ            第１保持部材
５ｂ            第２保持部材
６              移動装置
７              走行装置
７ａ            ガイドレール
７ｂ，７ｃ      第１，第２可動台座
８              昇降装置
８ａ            長孔
８ｂ            貫通孔
８ｃ            締結部材
１０            ホワイトボード（表示ボードの一例）
１１            上方壁面
１２            天井
２０            プロジェクタ
２１            投射面
【要約】
【課題】プロジェクタを高位置に配置することができるプロジェクタ支持装置を提供することを目的としている。
【解決手段】プロジェクタ支持装置１は、ホワイトボード１０の上方壁面１１に左右方向に間隔をあけて固定される第１，第２取付部材２ａ，２ｂと、基端部が夫々第１，第２取付部材２ａ，２ｂに固定され、先端部が夫々前方に延びる第１，第２アーム３ａ，３ｂと、左右方向に延びる両端部４ａ，４ｂが、夫々第１，第２アーム３ａ，３ｂに固定される連結部材４と、連結部材４の中間部４ｃ下面に設けられ、プロジェクタ２０を保持する保持部材５と、を備え、保持部材５に保持されたプロジェクタ２０が、第１アーム３ａと第２アーム３ｂとの間の空間３ｃに配置されるように、連結部材４の両端部４ａ，４ｂが、夫々第１，第２アーム３ａ，３ｂの上面に固定されている。
【選択図】図５【図１】
0006769637.tif 000002
【図２】
0006769637.tif 000003
【図３】
0006769637.tif 000004
【図４】
0006769637.tif 000005
【図５】
0006769637.tif 000006
【図６】
0006769637.tif 000007
【図７】
0006769637.tif 000008
【図８】
0006769637.tif 000009